(57)【要約】【課題】説明用原稿を投影することなくモニタで確認できるプレゼンテーション用システム及びプログラムを提供する。【解決手段】プレゼンテーション用システム１はパソコン１０と液晶プロジェクタ１２からなる。パソコン１０はメイン液晶ディスプレイ１５及びサブ液晶ディスプレイ２０を備えている。プレゼンテーション用ソフトウエアを起動すると、ハードディスク２６から投影用画像データ及び文書データが読み出される。投影用画像データは、メインモニタ表示用メモリ２８に送られ、メイン液晶ディスプレイ１５に投影用画像が表示されるとともに、Ｉ／Ｏ３０を介して表示用メモリ３２に送られ、液晶ディスプレイ３３に投影用画像が表示され、スクリーン１８に投影用画像が投影される。文書データは、サブモニタ表示用メモリ２９に送られ、説明用原稿がサブ液晶ディスプレイ２０に表示される。【選択図】        図２
2004198835.tif 000002
【特許請求の範囲】
【請求項１】
パーソナルコンピュータと、このパーソナルコンピュータに電気的に接続され、前記パーソナルコンピュータのモニタに表示される投影用画像をスクリーン等に投影するプロジェクタとからなるプレゼンテーション用システムにおいて、
前記パーソナルコンピュータは、前記投影用画像を表示する第１モニタと、前記投影用画像に関連する説明用原稿を表示する第２モニタとを備え、前記プロジェクタは、前記第１モニタに表示される投影用画像をスクリーン等に投影することを特徴とするプレゼンテーション用システム。
【請求項２】
前記パーソナルコンピュータは、前記投影用画像の画像データと説明用原稿の文書データとを記憶する記憶手段と、この記憶手段から読み出された画像データに基づいて投影用画像を第１モニタに表示する第１表示手段と、前記記憶手段から読み出された文書データに基づいて説明用原稿を第２モニタに表示する第２表示手段と、前記記憶手段から読み出された画像データをプロジェクタに出力する出力手段とを備えたことを特徴とする請求項１記載のプレゼンテーション用システム。
【請求項３】
パーソナルコンピュータと、このパーソナルコンピュータに電気的に接続され、前記パーソナルコンピュータのモニタに表示される投影用画像をスクリーン等に投影するプロジェクタとからなるプレゼンテーション用システムにおいて、
前記パーソナルコンピュータは、前記投影用画像の画像データとこれに関連する説明用原稿の文書データとを記憶する記憶手段と、この記憶手段から読み出された画像データと文書データに基づいて投影用画像とこれに関連する説明用原稿の両方をモニタに表示する表示手段と、前記記憶手段から読み出された画像データのみをプロジェクタに出力する出力手段とを備えたことを特徴とするプレゼンテーション用システム。
【請求項４】
記憶手段から投影用画像の画像データとこれに関連する説明用原稿の文書データとを読み出してモニタの表示手段に送ることにより投影用画像と説明用原稿の両方をモニタに同時に表示する表示ステップと、前記投影用画像の画像データを記憶手段から読み出してプロジェクタに出力する出力ステップとをパーソナルコンピュータに実行させることを特徴とするプレゼンテーション用プログラム。
【発明の詳細な説明】
【０００１】
【発明の属する技術分野】
本発明は、パーソナルコンピュータとプロジェクタからなるプレゼンテーション用システム及びプログラムに関し、更に詳しくは説明用原稿を投影することなくモニタで確認できるプレゼンテーション用システム及びプログラムに関するものである。
【０００２】
【従来の技術】
プレゼンテーション用システムとしては、パーソナルコンピュータ（以下パソコンという）と、これに電気的に接続される液晶プロジェクタとからなり、パソコンのモニタに表示される画面をそのまま液晶プロジェクタによってスクリーンに拡大投影してプレゼンテーションを行うものが知られている（例えば特許文献１参照）。このプレゼンテーション用システムでは、パソコンを操作してモニタの画面表示を切り換えると、液晶プロジェクタによってスクリーンに投影される画像（以下投影用画像という）も切り換わる。発表者は、投影用画像を見ながら、それに付随した説明を口頭で行う。
【０００３】
【特許文献１】
特開２０００−２０７１２２号公報
【０００４】
【発明が解決しようとする課題】
上記のようなプレゼンテーション用システムでは、パソコンのモニタの画面全体が液晶プロジェクタで投影されるため、パソコンで予め作成しておいた説明用の原稿を投影用画像と一緒にモニタに表示すると、原稿まで投影されてしまう。このため、説明用原稿を参照しながらプレゼンテーションを行いたい発表者は、紙の原稿を手に持って説明を行うことになるが、紙の原稿を準備しておく必要がある、原稿を手に持って発表を行うと目立つ、投影用画像を切り換えながら原稿のページをめくらなければならず煩雑である、発表会場が暗くて原稿が読みづらいなど、不都合な点が多い。
【０００５】
本発明は、説明用原稿を投影することなくモニタで確認できるプレゼンテーション用システム及びプログラムを提供することを目的とする。
【０００６】
【課題を解決するための手段】
前記目的を達成するために、本発明のプレゼンテーション用システムは、パーソナルコンピュータと、このパーソナルコンピュータに電気的に接続され、前記パーソナルコンピュータのモニタに表示される投影用画像をスクリーン等に投影するプロジェクタとからなるプレゼンテーション用システムにおいて、前記パーソナルコンピュータは、前記投影用画像を表示する第１モニタと、前記投影用画像に関連する説明用原稿を表示する第２モニタとを備え、前記プロジェクタは、前記第１モニタに表示される投影用画像をスクリーン等に投影するものである。
【０００７】
また、前記パーソナルコンピュータは、前記投影用画像の画像データと説明用原稿の文書データとを記憶する記憶手段と、この記憶手段から読み出された画像データに基づいて投影用画像を第１モニタに表示する第１表示手段と、前記記憶手段から読み出された文書データに基づいて説明用原稿を第２モニタに表示する第２表示手段と、前記記憶手段から読み出された画像データをプロジェクタに出力する出力手段とを備えたものである。
【０００８】
また、パーソナルコンピュータと、このパーソナルコンピュータに電気的に接続され、前記パーソナルコンピュータのモニタに表示される投影用画像をスクリーン等に投影するプロジェクタとからなるプレゼンテーション用システムにおいて、前記パーソナルコンピュータは、前記投影用画像の画像データとこれに関連する説明用原稿の文書データとを記憶する記憶手段と、この記憶手段から読み出された画像データと文書データに基づいて投影用画像とこれに関連する説明用原稿の両方をモニタに表示する表示手段と、前記記憶手段から読み出された画像データのみをプロジェクタに出力する出力手段とを備えたものである。
【０００９】
また、本発明のプレゼンテーション用プログラムは、記憶手段から投影用画像の画像データとこれに関連する説明用原稿の文書データとを読み出してモニタの表示手段に送ることにより投影用画像と説明用原稿の両方をモニタに同時に表示する表示ステップと、前記投影用画像の画像データを記憶手段から読み出してプロジェクタに出力する出力ステップとをパーソナルコンピュータに実行させるものである。
【００１０】
【発明の実施の形態】
本発明の第１実施形態を示す図１において、プレゼンテーション用システム１は、ノート型のパソコン１０と、これにケーブル１１で電気的に接続された液晶プロジェクタ１２とからなり、パソコン１０のメイン液晶ディスプレイ１５の画面全体に表示された投影用画像１６が液晶プロジェクタ１２からスクリーン１８上に投影される。
【００１１】
パソコン１０は、メイン液晶ディスプレイ１５の他に、パームレスト１０ａの一部に、メイン液晶ディスプレイ１５より小さいサブ液晶ディスプレイ２０を備えている。このサブ液晶ディスプレイ２０には、スピーチ用の説明用原稿２２が表示される。なお、メイン液晶ディスプレイ１５の表示解像度は１０２４×７６８ピクセルであり、サブ液晶ディスプレイ２０の表示解像度は５１２×３００ピクセルである。また、パームレスト１０ａの中央部には、指で擦ることによってメイン液晶ディスプレイ１５上のポインタを移動させる周知のトラックパッド２３が設けられ、その奥にはキーボード２４が設けられている。
【００１２】
パソコン１０と液晶プロジェクタ１２の電気的構成を示す図２において、パソコン１０の全ての動作はＣＰＵ２５によって制御される。ＣＰＵ２５には、前記トラックパッド２３，キーボード２４の他、ハードディスク（ＨＤ）２６，ワークメモリ２７，メインモニタ表示用メモリ２８，サブモニタ表示用メモリ２９，出力手段であるＩ／Ｏ３０が接続されている。また、液晶プロジェクタ１２には、表示用メモリ３２，透過型の液晶ディスプレイ３３が内蔵されている。
【００１３】
図３に示すように、記憶手段であるハードディスク２６のルートディレクトリ３５には、プログラムフォルダ３６とデータフォルダ３７が設けられている。プログラムフォルダ３６には、プレゼンテーション用プログラムを格納するプレゼンテーション用プログラムフォルダ３８が設けられている。
【００１４】
データフォルダ３７には、プレゼンテーションにおける提示順に番号が付けられたｎ個のNo.1フォルダ〜No.nフォルダが設けられている。No.1フォルダには、投影用画像１６の画像データである投影用画像データ４１と、説明用原稿のテキストデータである文書データ４２とが収納されている。周知のように、投影用画像データ４１は、Ｒ，Ｇ，Ｂの画像データからなり、文書データ４２は文字コードからなる。また、他のNo.2フォルダ〜No.nフォルダにも同様に投影用画像データと文書データとが収納されている。
【００１５】
投影用画像データ４１及び文書データ４２は、プレゼンテーション用プログラムによって作成される。プレゼンテーション用プログラムは、作成モードとプレゼンテーションモードを有するから、作成モードに切り換える。投影用画像データ４１は、プレゼンテーション用プログラムの作業ウィンドウに一覧表示されるデザインテンプレートから好みのものを選択し、必要に応じてパソコン１０に接続されたスキャナー等から写真やイラストや図表等を取り込んだり、デジタルカメラの画像データを取り込んだり、またキャラクタを動かす等の簡単なアニメーションを組み込んだりした後、レイアウトや色付け等を行って完成される。
【００１６】
投影用画像データ４１の画素数は、液晶プロジェクタ１２の液晶ディスプレイ３３の画素数と同じか、それ以上とする。液晶ディスプレイ３３は、それぞれ１０２４×７６８ピクセルの液晶ディスプレイを３枚（Ｒ，Ｇ，Ｂ）重ねたものであるから、投影用画像データ４１の画素数を１０２４×７６８ピクセル、もしくは１６００×１２００ピクセルとする。これにより、投影用画像１６を投影する際に、投影用画像データ４１を補間処理する必要がなくなる。
【００１７】
前記文書データ４２は、プレゼンテーション用プログラムに付属の専用エディタを用いて作成される。なお、文書データ４２は、別のワープロソフトで作成した後、プレゼンテーション用プログラムが取り扱えるデータ形式（本実施形態ではテキストデータ）に変換して取り込むようにしてもよい。
【００１８】
ワークメモリ２７は、ＣＰＵ２５がプログラムを実行する際の作業用メモリとして使用される。また、メインモニタ表示用メモリ２８は、メイン液晶ディスプレイ１５に投影用画像１６を表示するためのＶＲＡＭであり、グラフィックスボード（図示せず）に実装されている。メインモニタ表示用メモリ２８は、前記グラフィックスボードに実装されているグラフィックス制御チップ（図示せず）によって制御される。
【００１９】
メインモニタ表示用メモリ２８にはＩ／Ｏ３０が接続されており、このＩ／Ｏ３０にケーブル１１を介して液晶プロジェクタ１２の表示用メモリ３２が接続される。Ｉ／Ｏは、Ｒ，Ｇ，Ｂの画像データをプロジェクタ１２の表示用メモリ３２に出力する。なお、表示用メモリ３２もグラフィックス制御チップによって制御されるＶＲＡＭである。
【００２０】
また、サブモニタ表示用メモリ２９は、サブ液晶ディスプレイ２０に説明用原稿２２を表示するためのＶＲＡＭであり、グラフィックスボードに実装され、同グラフィックスボードに実装されているグラフィックス制御チップによって制御される。
【００２１】
このように構成されたプレゼンテーション用システム１を使用するには、まず、発表会場にパソコン１０と液晶プロジェクタ１２を設置し、これらの間をケーブル１１で接続する。なお、ケーブル１１の長さ等によってパソコン１０と液晶プロジェクタ１２の設置位置が制約を受けるが、ケーブル１１の代わりにワイヤレス機器（無線ＬＡＮ等）を用いれば、自由な設置を行うことができる。
【００２２】
パソコン１０及び液晶プロジェクタ１２に電源を投入し、パソコン１０を操作してプレゼンテーション用プログラムを起動すると、デフォルトでプレゼンテーションモードになり、ハードディスク２６からNo.1フォルダ内の投影用画像データ４１及び文書データ４２が読み出される。図４に示すように、投影用画像データ４１は、メインモニタ表示用メモリ２８に送られ、投影用画像１６がメイン液晶ディスプレイ１５に表示される。なお、図面中のｉは１からｎまでの任意の自然数である。
【００２３】
また、投影用画像データ４１は、メインモニタ表示用メモリ２８から更にＩ／Ｏ３０及びケーブル１１を介して表示用メモリ３２に送られ、液晶ディスプレイ３３に投影用画像１６が表示される。液晶ディスプレイ３３の後方には超高圧水銀ランプ等の高輝度ランプが配置され、ここから放出された光が透過型の液晶ディスプレイ３３を背後から照明し、スクリーン１８に投影用画像１６を投影する。
【００２４】
また、文書データ４２は、サブモニタ表示用メモリ２９に送られ、投影用画像１６に対応した説明用原稿２２がサブ液晶ディスプレイ２０に表示される。発表者は、サブ液晶ディスプレイ２０に表示された説明用原稿２２を参照して最初（No.1）の投影用画像１６についての説明を行う。発表者は、手に紙原稿を持つ必要がないからスマートにスピーチを行うことができる。また、空いた手でレーザーポインタを持ってスクリーン１３の任意な場所を指し示すこともできる。
【００２５】
最初の投影用画像１６についての説明が終了した後、トラックパッド２３をタッピングする等の操作により、投影用画像１６のコマ送りを行う。次のNo.2フォルダから投影用画像データ及び文書データが読み出され、これらによってメインモニタ表示用メモリ２８の投影用画像データ４１及びサブモニタ表示用メモリ２９の文書データ４２が書き換えられる。これにより、No.2の投影用画像がメイン液晶ディスプレイ１５に表示されるとともにスクリーン１８に投影され、No.2の説明用原稿がサブ液晶ディスプレイ２０に表示される。発表者は、サブ液晶ディスプレイ２０に表示された説明用原稿を参照してスクリーン１８上の投影用画像について説明を行う。
【００２６】
以下、同様にして、投影用画像のコマ送りを順次に行いながら説明用原稿を参照してスピーチを行い、最後の投影用画像についての説明を終了すると、プレゼンテーションが完了する。なお、トラックパッド２３のタッピング機能を利用して、プレゼンテーションモード時に、１回タッピングで順送り、連続２回タッピングで逆送りと設定しておくと、自在に投影用画像の切換を行うことができる。また、トラックパッド２３の代わりに矢印キー等を使用してもよい。また、プレゼンテーション用プログラムにスライドショーモードを設け、投影用画像１６が一定間隔で表示されるようにしてもよい。
【００２７】
次に、本発明の第２実施形態を示す図５において、プレゼンテーション用システム２は、上述したようなサブ液晶ディスプレイを備えていない一般的なノート型のパソコン５０と、前記液晶プロジェクタ１２とからなる。パソコン５０の液晶ディスプレイ５１の表示解像度は、前記メイン液晶ディスプレイ１５と同様に１０２４×７６８ピクセルであり、本体側には前記トラックパッド２３及びキーボード２４が設けられている。なお、第１実施形態と同じものには同じ符号を付し、説明を省略する。
【００２８】
パソコン５０と液晶プロジェクタ１２の電気的構成を示す図６において、ＣＰＵ２５には、前記トラックパッド２３，キーボード２４の他、ハードディスク（ＨＤ）２６，ワークメモリ２７，モニタ表示用メモリ５６，Ｉ／Ｏ３０が接続されている。なお、ハードディスク２６のディレクトリ構成は、第１実施形態と同じである（図３参照）。
【００２９】
プレゼンテーション用プログラムを起動すると、デフォルトでNo.1〜No.4フォルダからそれぞれの投影用画像データ４１と文書データ４２が読み出され、モニタ表示用メモリ５６に送られる。
【００３０】
モニタ表示用メモリ５６は、グラフィックス制御チップ（図示せず）の制御によって、図７に示すように、No.1〜No.4フォルダの各投影用画像データ４１を縮小して液晶ディスプレイ５１の左端に設けられたサムネイル表示領域５８にサムネイル表示画像６１〜６４を表示するとともに、No.1の投影用画像データ４１を全画面領域の約２／３を占める投影用画像表示領域６５に投影用画像１６を表示する。
【００３１】
また、モニタ表示用メモリ５６は、文書データ４２に基づいて説明用原稿２２を投影用画像表示領域６５の下方に設けられた原稿表示領域６６に表示する。この原稿表示領域６６の右端には、説明用原稿２２をスクロール表示する垂直スクロールバー６７が設けられている。また、サムネイル表示領域５８の右端には、サムネイル表示画像をスクロール表示する垂直スクロールバー６８が設けられている。
【００３２】
また、No.1の投影用画像データ４１は、Ｉ／Ｏ３０を介して表示用メモリ３２に送られ、プロジェクタ１２の液晶ディスプレイ３３に表示される。これにより、投影用画像１６がスクリーン１８上に投影される。なお、投影用画像の編集作業中には、サムネイル表示領域５８に表示されたサムネイル表示画像の順番を入れ換えたり、複製を作ったり、削除することが自由に行える。
【００３３】
発表者は、原稿表示領域６７に表示された説明用原稿２２に基づいて正確なスピーチを行うことができる。そして、手の指でトラックパッド２３を操作してサムネイル表示領域５８から次のサムネイル表示画像６２をポインタ６９で選択すると、サムネイル表示画像６２に対応するNo.2の投影用画像データ及び文書データがハードディスク２６から読み出され、投影用画像が投影用画像表示領域６５に表示されるとともにスクリーン１８に投影され、また同時に原稿表示領域６７に説明用原稿が表示される。なお、パソコン５０にマウスを接続してトラックパッド２３の代わりに用いると、より楽に投影用画像の選択を行うことができる。
【００３４】
本実施形態では、原稿表示領域を投影用画像表示領域の下方に設けたが、本発明はこのレイアウトに限定されることなく、例えば投影用画像表示領域の上方や右方でもよい。
【００３５】
以上説明した実施形態では、投影用画像は、１コマ毎のスライド的な画像であったが、本発明はこれに限定されることなく、映画等のムービーやアニメーション等の動画でもよい。また、上記表示用メモリは、パソコンのボイスメモ用のメモリやメインメモリの空き部分を使用することもできる。
【００３６】
また、パソコンに接続するプロジェクタとして液晶プロジェクタを用いたが、本発明はこれに限定されることなく、デジタル反射集積素子（ＤＭＤ）を使ったＤＬＰ式プロジェクタやＲＧＢの三原色ブラウン管を用いた３管式プロジェクタを用いてもよい。また、プロジェクタに、Ｒ，Ｇ，Ｂの画像データを入力するようにしたが、ビデオ信号を入力するようにしてもよい。
【００３７】
上記実施形態では、記憶手段としてハードディスクを用いたが、本発明はこれに限定されることなく、ＲＡＭ等のメモリやリムーバブルタイプの各種記憶デバイスを用いることもできる。また、上記実施形態では、メイン液晶ディスプレイの表示解像度を１０２４×７６８ピクセル、サブ液晶ディスプレイの表示解像度を５１２×３００ピクセルとしたが、本発明はこれに限定されることなく、例えばメイン液晶ディスプレイの表示解像度を１２８０×１０２４ピクセル、サブ液晶ディスプレイの表示解像度を６４０×５１２ピクセルとしてもよい。
【００３８】
また、第２実施形態の液晶ディスプレイの表示解像度も、上記数値に限定されないのはもちろんである。また、上記実施形態では、１回タッピングで順送り、連続２回タッピングで逆送りと設定したが、本発明はこのような回数に限定されることがないのは勿論である。また、例えばトラックパッドを指でタッチしてから下方に擦ると順送り、上方に擦ると逆送りと設定してもよく、また別の操作によってもよい。
【００３９】
【発明の効果】
以上詳細に説明したように、本発明によれば、第１，第２モニタを有するパソコンを用い、第１モニタに投影用画像を表示するとともに第２モニタに説明用原稿を表示し、投影用画像をスクリーン等に投影するから、説明用原稿を投影することなくモニタで確認できる。この結果、紙の原稿が不要になるため、正確なスピーチをスマートに行うことができる。
【００４０】
また、より具体的には、パーソナルコンピュータの記憶手段に投影用画像の画像データと説明用原稿の文書データを記憶しておき、記憶手段から画像データを読み出して第１表示手段とプロジェクタに送り、また文書データを読み出して第２表示手段に送るから、簡単な構成で説明用原稿を投影することなくモニタで確認できる。
【００４１】
また、パーソナルコンピュータの記憶手段に投影用画像の画像データと説明用原稿の文書データを記憶しておき、画像データと文書データに基づいて投影用画像と説明用原稿の両方をモニタに表示するとともに、画像データのみをプロジェクタに出力するから、説明用原稿を投影することなくモニタで確認できる。
【図面の簡単な説明】
【図１】第１実施形態の外観を示す説明図である。
【図２】第１実施形態の電気的な構成を示すブロック図である。
【図３】ハードディスクのディレクトリ構成の概略を示す説明図である。
【図４】投影用画像投影の概略的なシーケンスを示すフローチャートである。
【図５】第２実施形態の外観を示す説明図である。
【図６】第２実施形態の電気的な構成を示すブロック図である。
【図７】液晶ディスプレイの表示画面の一例を示す説明図である。
【符号の説明】
１，２  プレゼンテーション用システム
１０，５０  パソコン
１２  液晶プロジェクタ
１３  スクリーン
１５  メイン液晶ディスプレイ
１６  投影用画像
２０  サブ液晶ディスプレイ
２２  説明用原稿
２６  ハードディスク
２８  メインモニタ表示用メモリ
２９  サブモニタ表示用メモリ
３０  Ｉ／Ｏ
３２  表示用メモリ
３３，５１  液晶ディスプレイ
４１  投影用画像データ
４２  文書データ
５８  サムネイル表示領域
６１〜６４  サムネイル表示画像
６５  投影用画像表示領域
６６  原稿表示領域
【図１】
2004198835.tif 000003
【図２】
2004198835.tif 000004
【図３】
2004198835.tif 000005
【図４】
2004198835.tif 000006
【図５】
2004198835.tif 000007
【図６】
2004198835.tif 000008
【図７】
2004198835.tif 000009